(57)【要約】【課題】ホール店員に帯電した静電気を、景品管理ＰＯＳの操作前に、効果的かつ容易に除去する。【解決手段】チケットホルダ１０に、ホルダ用接地線１３を接続してアースする。ホール店員は、遊技客から受け取ったチケットを処理した後、この処理済みのチケットをチケットホルダ１０のピン部１１へ差し込む。この差し込みを行う際、ホール店員がピン部１１又は台部１２に触れると、そのホール店員に帯電していた静電気が、ホルダ用接地線１３を介して大地に放電される。【選択図】　　　図１
2004073455.tif 000002
【特許請求の範囲】
【請求項１】
景品交換を管理する景品管理ＰＯＳと、
景品交換用チケットを蓄えるチケットホルダとを備えたホールカウンタシステムであって、
前記チケットホルダは、ホルダ用接地線を有した
ことを特徴とするチケットホルダを備えたホールカウンタシステム。
【請求項２】
前記チケットホルダが、前記景品交換用チケットを差すピン部を有し、
このピン部が、前記ホルダ用接地線と接続された
ことを特徴とする請求項１記載のチケットホルダを備えたホールカウンタシステム。
【請求項３】
前記チケットホルダが、台部を有し、
この台部が、前記ホルダ用接地線と接続された
ことを特徴とする請求項１記載のチケットホルダを備えたホールカウンタシステム。
【請求項４】
前記ピン部と前記台部との双方が、前記ホルダ用接地線と接続された
ことを特徴とする請求項１記載のチケットホルダを備えたホールカウンタシステム。
【請求項５】
前記ホルダ用接地線が、前記台部の内部を通って前記ピン部と接続された
ことを特徴とする請求項１，２又は４記載のチケットホルダを備えたホールカウンタシステム。
【請求項６】
前記ピン部及び／又は前記台部が、通電性を有する材料で形成された
ことを特徴とする請求項１〜５のいずれかに記載のチケットホルダを備えたホールカウンタシステム。
【請求項７】
前記景品管理ＰＯＳが、ＰＯＳ用接地線を有し、
前記ホルダ用接地線が、前記ＰＯＳ用接地線と接続された
ことを特徴とする請求項１〜６のいずれかに記載のチケットホルダを備えたホールカウンタシステム。
【請求項８】
前記景品管理ＰＯＳが、ＰＯＳ接地基板を有し、
前記ホルダ用接地線及び／又は前記ＰＯＳ用接地線が、前記ＰＯＳ接地基板と接続された
ことを特徴とする請求項１〜７のいずれかに記載のチケットホルダを備えたホールカウンタシステム。
【請求項９】
前記ホルダ用接地線に、高抵抗を接続し、この高抵抗と前記ＰＯＳ用接地線及び／又は前記ＰＯＳ接地基板とが接続された
ことを特徴とする請求項７又は８記載のチケットホルダを備えたホールカウンタシステム。
【請求項１０】
カウンタ台用接地線が接続されたカウンタ台を有し、
前記ホルダ用接地線が、前記カウンタ台用接地線と接続された
ことを特徴とする請求項１〜９のいずれかに記載のチケットホルダを備えたホールカウンタシステム。
【発明の詳細な説明】
【０００１】
【発明の属する技術分野】
本発明は、ホールカウンタシステムに関し、特に、景品交換用チケットを蓄えておくチケットホルダを備えたホールカウンタシステムに関する。
【０００２】
【従来の技術】
遊技ホールには、パチンコ機やスロットマシン等に代表される遊技機が数多く設置されている。
この遊技機においては、パチンコ玉やメダル等の遊技媒体を数多く用いてゲームが行われる。
【０００３】
遊技媒体は、通常、金属製であるため、互いに接触し摩擦すると静電気を帯びる。この静電気は、遊技媒体を扱う遊技客に移る。
また、空調設備の整えられた遊技ホール内は、湿度が抑えられ乾燥した環境状態となるため、遊技客自身も、静電気を帯びやすくなる。
【０００４】
ところで、遊技客は、ゲームを終了すると、獲得した遊技媒体を景品と交換するために、計数機を用いて遊技媒体の数量をカウントし、このカウント値が記載された景品交換用チケット（以下、単に「チケット」という）を発券機から受け取る。
そして、遊技客は、ホールカウンタへ行き、そのチケットをホール店員に渡す。
【０００５】
ホール店員は、その受け取ったチケットを処理し、この処理済みのチケットをチケットホルダ（状差し）のピン部へ差し込んでストックしておく。
そして、ホール店員は、ホールカウンタに設置された景品管理ＰＯＳを操作して、獲得された遊技媒体の数量に見合った景品を遊技客へ渡す。
【０００６】
ところが、こうした遊技客やホール店員による景品交換時の一連の動きにおいては、静電気の移動や帯電がともなう。
たとえば、遊技媒体の計数を終えた遊技客が、ホールカウンタへ向かうときには、その遊技客に帯電した静電気が一緒に運ばれる。また、遊技客からホール店員へチケットが渡されるときには、静電気も一緒にホール店員へ移ることが多い。
【０００７】
そして、ホール店員が、静電気を帯びた状態で景品管理ＰＯＳを操作すると、この景品管理ＰＯＳが、その静電気の影響を受けて動作不良を起こすことがある。
そこで、こうした静電気の悪影響を防止するために、従来は、ホール店員が、景品管理ＰＯＳ等の設置されたホールカウンタの回りに、帯電防止剤等をふりかけることで対応していた。
【０００８】
【発明が解決しようとする課題】
しかしながら、ホールカウンタ回りに帯電防止剤をふりかける作業は、ホール店員の業務においては煩雑なものとなっていた。
特に、業務が多忙な場合、ホール店員は、帯電防止剤をふりかけるのを忘れたり、あるいは後回しにするなどして十分に行わない場合も多かった。
このため、ホールカウンタ回りにおいては、営業時間中、一定して静電気の抑制状態を持続させることができなかった。
【０００９】
本発明は、上記の事情にかんがみなされたものであり、ホール店員に帯電した静電気を、景品管理ＰＯＳの操作前に、効果的かつ容易に除去するとともに、ホールカウンタ回りの静電気の抑制状態を確実に維持でき、かつ、景品管理ＰＯＳ等の動作不良の防止を可能とするホールカウンタシステムの提供を目的とする。
【００１０】
【課題を解決するための手段】
この目的を達成するため、本発明の請求項１記載のチケットホルダを備えたホールカウンタシステムは、景品交換を管理する景品管理ＰＯＳと、景品交換用チケットを蓄えるチケットホルダとを備えたホールカウンタシステムであって、チケットホルダは、ホルダ用接地線を有した構成としてある。
【００１１】
チケットホルダを備えたホールカウンタシステムをこのような構成とすると、ホール店員は、処理済みのチケットをチケットホルダに刺し込む際に、そのチケットホルダに触れるだけで、自身に帯電していた静電気を、ホルダ用接地線を介して大地へ放電させることができる。
【００１２】
そして、ホール店員が触れるチケットホルダが、ホルダ用接地線を有した構成となっているため、効果的に静電気を除去できる。
さらに、ホール店員がチケットをチケットホルダに差し込む動作は、通常の取引業務で行われていることである。このため、ホール店員は、そのチケットホルダに触れることを通常業務の流れに組み入れることで、効率よく、かつ容易に静電気を除去できる。
【００１３】
加えて、チケットがチケットホルダに差し込まれるたびに、ホール店員に帯電した静電気が除去されるため、ホールカウンタ回りの静電気の抑制状態を確実に維持できる。
さらに、静電気が放電された状態で、ホール店員が操作を行うため、景品管理ＰＯＳ等の動作不良を防止できる。
【００１４】
また、請求項２記載のチケットホルダを備えたホールカウンタシステムは、チケットホルダが、景品交換用チケットを差すピン部を有し、このピン部が、ホルダ用接地線と接続された構成としてある。
チケットホルダを備えたホールカウンタシステムをこのような構成とすれば、ホール店員は、処理済みのチケットをピン部に差し込む際、このピン部に触れるだけで、自身に帯電していた静電気を大地へ逃がすことができる。
【００１５】
そして、ホール店員が、その後に操作しても、景品管理ＰＯＳは、静電気の影響を受けない。このことから、景品管理ＰＯＳにおいては、静電気による誤動作や故障の発生を抑制できる。
さらに、ピン部に触れることは、取引業務を遂行するホール店員にとって容易に行うことができる行為であるため、その取引業務に負担をかけることなく、静電気を除去できる。
【００１６】
また、請求項３記載のチケットホルダを備えたホールカウンタシステムは、チケットホルダが、台部を有し、この台部が、ホルダ用接地線と接続された構成としてある。
チケットホルダを備えたホールカウンタシステムをこのような構成とすると、ホール店員は、台部に触れることで、容易に静電気を放電させることができる。
【００１７】
また、請求項４記載のチケットホルダを備えたホールカウンタシステムは、ピン部と台部との双方が、ホルダ用接地線と接続された構成としてある。
チケットホルダを備えたホールカウンタシステムをこのような構成とすれば、ホール店員は、ピン部あるいは台部のいずれか一方に触れることで、容易に静電気を除去できる。
【００１８】
また、請求項５記載のチケットホルダを備えたホールカウンタシステムは、ホルダ用接地線が、台部の内部を通ってピン部と接続された構成としてある。
チケットホルダを備えたホールカウンタシステムをこのような構成とすると、ホルダ用接地線の露出部分が少なくなるため、ホール店員がチケットを差し込む際の障害とならない。
【００１９】
また、請求項６記載のチケットホルダを備えたホールカウンタシステムは、ピン部及び／又は台部が、通電性を有する材料で形成された構成としてある。
チケットホルダを備えたホールカウンタシステムをこのような構成とすれば、ホール店員に帯電した静電気を、通電性材料で形成されたピン部又は台部を介して、大地へ放電させることができる。
【００２０】
また、請求項７記載のチケットホルダを備えたホールカウンタシステムは、景品管理ＰＯＳが、ＰＯＳ用接地線を有し、ホルダ用接地線が、ＰＯＳ用接地線と接続された構成としてある。
チケットホルダを備えたホールカウンタシステムをこのような構成とすると、ホール店員に帯電した静電気を、ホルダ用接地線及びＰＯＳ用接地線を介して、大地へ逃がすことができる。
【００２１】
さらに、チケットホルダが景品管理ＰＯＳの近くに設けられる場合は、ホルダ用接地線を大地まで延ばさなくても、そのＰＯＳ用接地線に接続するだけで同等の効果が得られるため、材料費を節約できる。
ただし、ホルダ用接地線とＰＯＳ用接地線とは、接地線同士を直接接続することもでき、また、ＰＯＳ接地基板上で接続することもできる。
【００２２】
また、請求項８記載のチケットホルダを備えたホールカウンタシステムは、景品管理ＰＯＳが、ＰＯＳ接地基板を有し、ホルダ用接地線及び／又はＰＯＳ用接地線が、ＰＯＳ接地基板と接続された構成としてある。
チケットホルダを備えたホールカウンタシステムをこのような構成とすれば、ホルダ用接地線とＰＯＳ用接地線とを、ＰＯＳ接地基板上で接続できる。このため、ホルダ用接地線とＰＯＳ用接地線との接続が容易となる。
【００２３】
また、請求項９記載のチケットホルダを備えたホールカウンタシステムは、ホルダ用接地線に、高抵抗を接続し、この高抵抗とＰＯＳ用接地線及び／又はＰＯＳ接地基板とを接続した構成としてある。
チケットホルダを備えたホールカウンタシステムをこのような構成とすると、ＰＯＳ用接地線がリークした状態で、ホール店員がチケットホルダを触った場合であっても、景品管理ＰＯＳからの高電圧に感電することなく、ホール店員は、自身に帯電した静電気を除去できる。
【００２４】
また、請求項１０記載のチケットホルダを備えたホールカウンタシステムは、カウンタ台用接地線が接続されたカウンタ台を有し、ホルダ用接地線が、カウンタ台用接地線と接続された構成としてある。
チケットホルダを備えたホールカウンタシステムをこのような構成とすれば、ホール店員に帯電していた静電気を、ホルダ用接地線及びカウンタ台用接地線を介して、大地へ逃がすことができる。
【００２５】
【発明の実施の形態】
以下、本発明の実施の形態について、図面を参照して説明する。
［第一実施形態］
まず、本発明のホールカウンタシステムの実施形態について、図１を参照して説明する。
同図は、本実施形態のホールカウンタシステムの構成を示すブロック図である。
【００２６】
同図に示すように、ホールカウンタシステム１は、チケットホルダ１０と、景品管理ＰＯＳ２０と、カウンタ台３０とを有している。
ここで、チケットホルダ１０は、ピン部１１と、台部１２と、ホルダ用接地線１３とを有している。
【００２７】
ピン部１１は、チケットが差し込まれる部分であって、この差し込まれた順にチケットが蓄えられていく。
このピン部１１は、通電性を有する材料、たとえば、金属材料、プラスチック材料、導電ゴム等（以下、総称して「通電性材料」という）で形成することができる。
【００２８】
なお、図１においては、一端が円錐状に形成された棒状のピン部１１を用いているが、一端が円錐状に形成された棒状に限るものではなく、たとえば、一端が角錐状や角柱状等に形成された棒状のピン部、全体が角錐状、角柱状、円錐状、円柱状等に形成されたピン部などを用いることもできる。
【００２９】
台部１２は、ピン部１１を支持する台であり、通電性材料で形成することができる。この台部１２は、カウンタ台３０に固定されていても、また、固定されていなくてもよい。
なお、図１においては、板状に形成された台部１２を用いているが、板状に限るものではなく、たとえば、円盤状やキャラクターの形状など、様々な形状の台部１２を用いることができる。
【００３０】
ホルダ用接地線１３は、一端が、通電性材料で形成されたピン部１１あるいは台部１２の一方又は双方と接続されており、他端が、大地にアースされている。具体的には、台部１２が通電性材料で形成されているとき（ピン部１１は、通電性材料で形成されていても、また、されていなくてもよい）は、図１に示すように、この台部１２にホルダ用接地線１３の一端が接続される。
【００３１】
また、ピン部１１が通電性材料で形成されているが、台部１２が通電性材料で形成されていないときは、図２に示すように、ホルダ用接地線１３の一端は、台部１２の内側（あるいは外側）を通ってピン部１１と接続される。
さらに、ピン部１１と台部１２との双方が通電性材料で形成されており、これらピン部１１と台部１２とが通電可能な状態で接続されているときは、ホルダ用接地線１３の一端は、ピン部１１あるいは台部１２のいずれに接続されていてもよい。
【００３２】
そして、ピン部１１と台部１２との双方が通電性材料で形成されているときは、これらピン部１１及び台部１２の双方に、それぞれホルダ用接地線１３を接続することもできる。この場合、ホルダ用接地線１３は、複数本となる。
なお、ホルダ用接地線１３とピン部１１又は台部１２との接続には、ねじや接着剤などを用いることができる。ただし、その接続にどのような手段が用いられたとしても、ホルダ用接地線１３とピン部１１又は台部１２との通電可能な状態が損われないようにしなければならない。
【００３３】
ホルダ用接地線１３の他端（アース側）は、静電気が大地へ逃げるように、地面や床面等と直接接触していればよいが、望ましくは、アース棒やアース板等を接続して埋設したり、地面や床面、金属台などに固着させた方がよい。
このホルダ用接地線１３には、銅線、鉄線、アルミニウム線などを用いることができ、絶縁被膜が施されている方が好ましい。
【００３４】
チケットホルダにホルダ用接地線を設けてアースをした構成とすることにより、ホール店員は、ピン部あるいは台部に触れるだけで、自身のからだに帯電した静電気を、容易に大地へ逃がすことができる。
さらに、ホール店員は、処理済みのチケットをチケットホルダのピン部に差し込む際に、ピン部（あるいは台部）に軽く触れればよいことから、景品管理ＰＯＳの操作前に静電気を除去できる。
【００３５】
ただし、ピン部あるいは台部のいずれか一方は通電性材料で形成されているが、他方が非通電性の材料で形成されているときは、通電性材料で形成された部分を選んで触れる必要がある。
また、図１においては、ホルダ用接地線１３の一端が、台部１２の側面に接続されているが、側面に限るものではなく、たとえば、上面や下面に接続することもできる。
【００３６】
なお、本実施形態において「大地」とは、「グラウンド」と同意であり、電気的に±０［Ｖ］であると仮想されたレベルをいう。
このため、接地線（ホルダ用接地線１３、ＰＯＳ用接地線２１（後述）及びカウンタ台用接地線３１（後述）を含む）の他端（アース側）は、地表面や床面の他、機器、設備、装置等において０［Ｖ］に相当しアースの役割を有する箇所に接続することもできる。
【００３７】
景品管理ＰＯＳ２０は、景品交換の管理に用いられる装置であり、ホール店員により操作される。
カウンタ台３０は、チケットホルダ１０、景品管理ＰＯＳ２０、景品（図示せず）などを乗せるための台である。
【００３８】
次に、本実施形態のチケットホルダを備えたホールカウンタシステムを用いて、ホール店員が静電気を除去する動作について、図１を参照して説明する。
ホール店員は、遊技客からチケットを受け取ると、このチケットを処理し、この処理済みのチケットを、チケットホルダ１０のピン部１１に差し込む。
【００３９】
このチケットをピン部１１へ差し込むときに、ホール店員は、チケットホルダ１０のピン部１１又は台部１２に触れる。
ホール店員がピン部１１又は台部１２に触れることにより、静電気が、ピン部１１又は台部１２を介してホルダ用接地線１３に伝わり、大地へ放電される。
【００４０】
［第二実施形態］
次に、本発明のチケットホルダを備えたホールカウンタシステムの第二の実施形態について、図３を参照して説明する。
同図は、本実施形態のホールカウンタシステムの構成を示す斜視図である。
【００４１】
本実施形態は、第一実施形態と比較して、ホルダ用接地線を、高抵抗を介して景品管理ＰＯＳのＰＯＳ用接地線に接続した点が相違する。他の構成要素は第一実施形態と同様である。
したがって、図３において、図１と同様の構成部分については同一の符号を付して、その詳細な説明を省略する。
【００４２】
図３に示すように、ホールカウンタシステム１は、チケットホルダ１０と、景品管理ＰＯＳ２０と、カウンタ台３０と、高抵抗４０とを有している。
ここで、チケットホルダ１０のホルダ用接地線１３は、一端が、ピン部１１あるいは台部１２と接続されており、他端が、高抵抗４０を介して、景品管理ＰＯＳ２０のＰＯＳ接地基板２２（後述）と接続されている。
【００４３】
高抵抗４０は、ＰＯＳ用接地線２１がリークした場合に、景品管理ＰＯＳ２０の電源電圧が直接チケットホルダ１０に加わり、このチケットホルダ１０に触れたホール店員に対し大電圧が加わって（大電流が流れて）、感電することを防止するために設けられている。
【００４４】
この高抵抗４０には、高電圧用の高抵抗デバイス（たとえば、ソリッド抵抗器や巻線抵抗器等）などを用いることができる。
また、高抵抗４０は、チケットホルダ１０の外部あるいは内部に設けることができる。
【００４５】
景品管理ＰＯＳ２０は、ＰＯＳ用接地線２１と、ＰＯＳ接地基板２２とを有している。
ＰＯＳ用接地線２１は、一端が、ＰＯＳ接地基板２２に接続されており、他端が、大地にアースされている。
【００４６】
このＰＯＳ用接地線２１の一端が接続されたＰＯＳ接地基板２２は、通常、景品管理ＰＯＳ２０の内部に設けられた電源装置と接続されている。このため、ＰＯＳ用接地線２１は、その電源装置や景品管理ＰＯＳ２０内の電気回路において、ショート等により発生した漏洩電流や過剰電圧を、大地へ逃がす役割を果たす。
また、ＰＯＳ用接地線２１は、ホルダ用接地線１３からの静電気を大地へ逃がす。
【００４７】
さらに、ＰＯＳ用接地線２１の他端（アース側）は、静電気が大地へ逃げるように、地面や床面等と直接接触していればよいが、望ましくは、アース棒やアース板等を接続して埋設したり、地面や床面、金属台などに固着させた方がよい。
このＰＯＳ用接地線２１には、銅線、鉄線、アルミニウム線などを用いることができ、絶縁被膜が施されている。
【００４８】
ＰＯＳ接地基板２２は、ＰＯＳ用接地線２１と電源装置（あるいは、景品管理ＰＯＳ２０の筐体）とを接続する基板であり、景品管理ＰＯＳ２０の側面あるいは背面に設けられている。
このＰＯＳ接地基板２２には、ＰＯＳ用接地線２１及びホルダ用接地線１３が接続されている。
【００４９】
なお、ＰＯＳ用接地線２１及びホルダ用接地線１３は、通電性材料で形成されたねじやビス等によって、ＰＯＳ接地基板２２に固着することができる。
また、ＰＯＳ接地基板２２を用いずに、ＰＯＳ用接地線２１及びホルダ用接地線１３を景品管理ＰＯＳ２０の筐体に直接接続することもできる。さらに、ＰＯＳ用接地線２１とホルダ用接地線１３とを直接接続することもできる。
【００５０】
次に、本実施形態のチケットホルダを備えたホールカウンタシステムを用いて、ホール店員が静電気を除去する動作について、図３を参照して説明する。
ホール店員は、遊技客からチケットを受け取ると、このチケットを処理し、この処理済みのチケットを、チケットホルダ１０のピン部１１に差し込む。
【００５１】
このチケットをピン部１１へ差し込むときに、ホール店員は、チケットホルダ１０のピン部１１又は台部１２に触れる。
ホール店員がピン部１１又は台部１２に触れることにより、静電気が、ピン部１１又は台部１２に伝わり、さらに、ホルダ用接地線１３からＰＯＳ用接地線２１を伝わって、大地へ放電される。
【００５２】
［第三実施形態］
次に、本発明のチケットホルダを備えたホールカウンタシステムの第三の実施形態について、図４を参照して説明する。
同図は、本実施形態のホールカウンタシステムの構成を示す斜視図である。
【００５３】
本実施形態は、第一実施形態と比較して、新たにカウンタ台用接地線とカウンタ台接地板とを設けた点が相違する。他の構成要素は第一実施形態と同様である。
したがって、図４において、図１と同様の構成部分については同一の符号を付して、その詳細な説明を省略する。
【００５４】
図４に示すように、ホールカウンタシステム１は、チケットホルダ１０と、景品管理ＰＯＳ２０と、カウンタ台３０とを有している。
ここで、チケットホルダ１０のホルダ用接地線１３は、一端が、ピン部１１あるいは台部１２と接続されており、他端が、カウンタ台３０のカウンタ台接地板３２（後述）に接続されている。
【００５５】
カウンタ台３０は、カウンタ台接地線３１と、カウンタ台接地板３２とを有している。
カウンタ台接地線３１は、一端が、カウンタ台接地板３２に接続されており、他端が、大地にアースされている。
【００５６】
このカウンタ台用接地線３１の他端（アース側）は、静電気が大地へ逃げるように、地面や床面等と直接接触していればよいが、望ましくは、アース棒やアース板等を接続して埋設したり、地面や床面、金属台などに固着させた方がよい。
このカウンタ台用接地線３１には、銅線、鉄線、アルミニウム線などを用いることができ、絶縁被膜が施されている。
【００５７】
カウンタ台接地板３２は、カウンタ台３０の前面、側面、背面あるいは上面に設けられており、カウンタ台用接地線３１及びホルダ用接地線１３が接続されている。
なお、カウンタ台用接地線３１及びホルダ用接地線１３は、通電性材料で形成されたねじやビス等によって、カウンタ台接地板３２に固着することができる。
【００５８】
また、ＰＯＳ接地基板２２を用いずに、カウンタ台用接地線３１及びホルダ用接地線１３をカウンタ台３０に直接接続することもできる。ただし、この場合は、カウンタ台３０自体が通電性材料で形成されている必要がある。
さらに、カウンタ台用接地線３１とホルダ用接地線１３とを直接接続することもできる。
【００５９】
さらに、カウンタ台３０の上面に通電性材料で形成された板やシート等を敷き、この板やシート等と、ホルダ用接地線１３及びカウンタ台用接地線３１とを接続することもできる。
なお、チケットホルダ１０の台部１２が通電性材料で形成されており、このチケットホルダ１０が通電性材料で形成された板やシート等の上に設けられるときは、ホルダ用接地線１３を省略することもできる。
【００６０】
次に、本実施形態のチケットホルダを備えたホールカウンタシステムを用いて、ホール店員が静電気を除去する動作について、図４を参照して説明する。
ホール店員は、遊技客からチケットを受け取ると、このチケットを処理し、この処理済みのチケットを、チケットホルダ１０のピン部１１に差し込む。
【００６１】
このチケットをピン部１１へ差し込むときに、ホール店員は、チケットホルダ１０のピン部１１又は台部１２に触れる。
ホール店員がピン部１１又は台部１２に触れることにより、静電気が、ピン部１１又は台部１２に伝わり、さらに、ホルダ用接地線１３からカウンタ台用接地線３１を伝わって、大地へ放電される。
【００６２】
なお、本発明のチケットホルダを備えたホールカウンタシステムは、第一実施形態、第二実施形態及び第三実施形態のそれぞれにおけるチケットホルダを備えたホールカウンタシステムを任意に組み合わせたものであってもよい。
【００６３】
【発明の効果】
以上のように、本発明によれば、チケットホルダにホルダ用接地線が接続されてるため、ホール店員は、そのチケットホルダに触れるだけで、自身に帯電した静電気を、景品管理ＰＯＳを操作する前に、効果的かつ容易に除去することができる。
したがって、ホールカウンタ回りの静電気の抑制状態を確実に維持でき、かつ、景品管理ＰＯＳ等の動作不良の防止が可能となる。
【図面の簡単な説明】
【図１】本発明の第一実施形態におけるチケットホルダを備えたホールカウンタシステムの構成を示す斜視図である。
【図２】本発明の第一実施形態におけるチケットホルダを備えたホールカウンタシステムの他の構成を示す斜視図である。
【図３】本発明の第二実施形態におけるチケットホルダを備えたホールカウンタシステムの構成を示す斜視図である。
【図４】本発明の第三実施形態におけるチケットホルダを備えたホールカウンタシステムの構成を示す斜視図である。
【符号の説明】
１　ホールカウンタシステム
１０　チケットホルダ
１１　ピン部
１２　台部
１３　ホルダ用接地線
２０　景品管理ＰＯＳ
２１　ＰＯＳ用接地線
２２　ＰＯＳ接地基板
３０　カウンタ台
３１　カウンタ台用接地線
３２　カウンタ台接地板
４０　高抵抗
【図１】
2004073455.tif 000003
【図２】
2004073455.tif 000004
【図３】
2004073455.tif 000005
【図４】
2004073455.tif 000006